(57)【要約】  【課題】埋込式の水栓の長所を十分生かしながら、さらに壁内への水の逆侵入を防止することのできる壁埋込型水栓を提供すること。  【解決手段】壁Ｗ内に埋め込まれる水栓ボックス１１内に水栓本体１２を収納するとともに、この水栓本体１２に対して、壁Ｗ内を通されてくる配管２０を、配管接続具１３を介して接続するようにした壁埋込型水栓１０において、配管２０の挿入部２１ａ・２１ｂを、水栓ボックス１１に設けた支持孔１１ａに液密的に挿通して、その内端を当該水栓ボックス１１内に突出させるとともに、配管接続具１３を配管２０の内端に接続し、この配管接続具１３に水栓本体１２を接続することにより、これらの水栓本体１２と配管接続具１３とを水栓ボックス１１内に収納したこと。【選択図】図２
2005194822.tif 000002
【特許請求の範囲】
【請求項１】
壁内に埋め込まれる水栓ボックス内に水栓本体を収納するとともに、この水栓本体に対して、前記壁内を通されてくる配管を、配管接続具を介して接続するようにした壁埋込型水栓において、
前記配管の挿入部を、前記水栓ボックスに設けた支持孔に液密的に挿通して、その内端を当該水栓ボックス内に突出させるとともに、
前記配管接続具を前記配管の内端に接続し、この配管接続具に前記水栓本体を接続することにより、これらの水栓本体と配管接続具とを前記水栓ボックス内に収納したことを特徴とする壁埋込型水栓。
【請求項２】
前記配管の、前記水栓ボックスの支持孔に対する液密的な挿通は、前記水栓ボックスの支持孔にゴムブッシュを圧入して、このゴムブッシュ内に前記配管の挿入部を挿通することにより行うようにしたことを特徴とする請求項１に記載の壁埋込型水栓。
【請求項３】
前記配管の、前記水栓ボックスの支持孔に対する液密的な挿通は、前記水栓ボックスの支持孔の内側に、この支持孔を塞ぐ中当板をシール材を介して固定するとともに、この中当板の挿通孔に挿通した前記各配管の挿入部を前記中当板に対して固定することにより行うようにしたことを特徴とする請求項１に記載の壁埋込型水栓。
【発明の詳細な説明】
【技術分野】
【０００１】
本発明は水栓に関し、特に、壁に埋め込む形式の壁埋込型水栓に関するものである。
【背景技術】
【０００２】
壁埋込型水栓は、壁から湯水を取り出して、洗濯機や浄水器等に供給するために使用されているものであり、洗濯機等を壁にピッタリと寄せることができて便利なものである。このような壁埋込型水栓としては、例えば特許文献１〜３に示されているようなものが知られている。
【０００３】
特許文献１には、「ホースの接続が可能な水栓を浴室の美観を損ねない状態で設け、浴室内の清掃を容易に行えるようにする」ことを目的としてなされた「壁埋込式水栓ユニット」が示されており、この水栓ユニットは、図５にも示すように、「壁体にその壁面２６で開口するボックス状凹部を形成し、該凹部内に水栓２０を給水配管と接続状
態で配置」したものである。
【０００４】
特許文献２には、「配水配管を敷設するスペースなどを確保しにくい建物でも確実に配水配管を敷設することができる浴室ユニットの構造を提供する」ことを目的としてなされたもので、この浴室ユニットは、「建物躯体２の内部に浴室ユニット１を配設し、浴室ユニット１の床材３を貫通した配水配管４が浴室ユニット１の壁材５の浴室側に沿って立ち上がり、配水配管４の先端が浴室ユニット１の壁材５の浴室側に設けたカラン６に接続し、配水配管４の浴室内に露出した部分を覆うようなカバー７を設けた」ものである。
【０００５】
そして、特許文献３には、「壁に埋込状態に設置される埋込水栓において、壁に埋込状態のバルブが開いた状態にあるか閉じた状態にあるかを一目で分るようにする。更にまたバルブのメンテナンス作業をする際、バルブを単独で取り出して簡単にメンテナンス作業できるようにする」ことを目的としてなされた「埋込水栓」が提案されており、この埋込水栓は、図１４にも示すように、「吐止水制御を行うバルブ２２が壁壁Wに埋込状態に設置される埋込水栓１０において、バルブ２２を操作する操作摘み４３を前面プレート１６に形成した上下のスリット状開口４０に沿って開操作位置と閉操作位置との間で線状の移動路に沿って移動させるようにする。またバルブ２２を接続管部２０と別体に構成し、接続継手にて着脱可能に接続するようになす」という構成を有しているものである。
【特許文献１】特開平５-９８６７６号、要約、図３
【特許文献２】特開２００１-２０７６６１号、要約、図１
【特許文献３】特開２００２-１２９６１０号、要約、図１３
【発明の開示】
【発明が解決しようとする課題】
【０００６】
以上の各特許文献に記載されたいずれの発明においても、枠体１４(特許文献１)、カラン台１０(特許文献２)、あるいはケーシング１４(特許文献３)に対して湯または水が供給されてくる配管を単に接続するだけになっていて、その接続部から壁内に水等がしみこむ可能性があるものとなっている。
【０００７】
つまり、特許文献１〜３のいずれの「埋込型水栓」においても、限られたスペースを有効に使用できるようにしたり、壁面をスッキリされることができるという長所を有してはいるものの、もし水栓やこれに接続してあるホース等からボックス(ケース)内に漏水した場合には、これと配管との接続部から水が壁内に浸み込む可能性がある。壁内に水が浸み込めば、これによって壁自身が腐食したり、白アリが住みつき始めたりして、建物にとって非常に悪いこととなる。
【０００８】
そこで、本発明等は、壁内への水の逆侵入を防止するにはどうしたらよいかについて種々検討を重ねてきた結果、本発明を完成したのである。
【０００９】
すなわち、本発明の目的とするところは、埋込式の水栓の長所を十分生かしながら、さらに壁内への水の逆侵入を防止することのできる壁埋込型水栓を提供することにある。
【課題を解決するための手段】
【００１０】
以上の課題を解決するために、まず、請求項１に係る発明の採った手段は、後述する実施の形態の説明中において使用する符号を付して説明すると、
「壁Ｗ内に埋め込まれる水栓ボックス１１内に水栓本体１２を収納するとともに、この水栓本体１２に対して、壁Ｗ内を通されてくる配管２０を、配管接続具１３を介して接続するようにした壁埋込型水栓１０において、配管２０の挿入部２１ａ・２１ｂを、水栓ボックス１１に設けた支持孔１１ａに液密的に挿通して、その内端を当該水栓ボックス１１内に突出させるとともに、配管接続具１３を配管２０の内端に接続し、この配管接続具１３に水栓本体１２を接続することにより、これらの水栓本体１２と配管接続具１３とを水栓ボックス１１内に収納したことを特徴とする壁埋込型水栓１０」
である。
【００１１】
すなわち、この請求項１に係る壁埋込型水栓１０は、水栓本体１２を収納する水栓ボックス１１を壁Ｗ内に埋没して、この壁Ｗ中を通されてくる配管２０の各挿入部２１ａ・２１ｂを水栓ボックス１１内に露出させるようにしたものである。そして、この壁埋込型水栓１０は、各挿入部２１ａ・２１ｂに配管接続具１３を介して水栓本体１２を接続したものであり、これらの水栓本体１２及び配管接続具１３を水栓ボックス１１内に完全に収納するようにしたものである。
【００１２】
勿論、本発明の実施にあたっては、水栓本体１２として湯または水のいずれか一方だけが通されるものを採用してもよく、後述する最良形態にて例示するように、各配管接続具１３との間に湯水混合部１４を介在させるようにするとともに、配管２０として水配管２０aと湯配管２０ｂとの二種類を採用して、これらから給送されてくる湯及び水を湯水混合部１４にて適宜温度に混合する、所謂湯水混合栓を採用するように実施してもよいものである。また、本発明に係る壁埋込型水栓１０においては、図２〜図５に示すように、各水配管２０ａ及び湯配管２０ｂ(湯水混合部１４を備える場合)の水栓ボックス１１内に突出させた挿入部２１ａ・２１ｂは、これらが通される水栓ボックス１１の支持孔１１ａに対して液密的に挿通して支持してあるのである。
【００１３】
これら各挿入部２１ａ・２１ｂの支持孔１１ａに対する液密的挿通は、水栓施工においてよく使用されている軟質テープを各挿入部２１ａ・２１ｂに巻いて行ったり、あるいはコーキング等のシール材を各支持孔１１ａに塗布したりして行う。さらには、次に説明する請求項２の壁埋込型水栓１０のように、ゴムブッシュ１８を採用して実施してもよく、また、請求項３の壁埋込型水栓１０のように、水栓ボックス１１の支持孔１１ａの内側にこれを塞ぐ中当板１９を固定して、この中当板１９に対して各配管２０の挿入部２１ａ・２１ｂを固定するように実施してもよいものである。
【００１４】
以上のように、この請求項１の壁埋込型水栓１０は、その水栓ボックス１１内に、水栓本体１２や、これと配管２０とを接続する配管接続具１３、必要に応じて湯水混合部１４を組み込むようにしたから、図１に示すように、壁Ｗの表面には必要のあるものしか突出しないことになり、例えば浴室内をスッキリとしたものとすることができるのである。勿論、各水配管２０ａ及び湯配管２０ｂの挿入部２１ａ・２１ｂを水栓ボックス１１内に突出させ、これらの挿入部２１ａ・２１ｂの水栓ボックス１１側の支持孔１１ａに対する挿入を液密的なものとしてあるから、例に水栓ボックス１１内で漏水があったとしても、これが壁Ｗ内に浸み込むことは全くなく、壁Ｗは壁埋込型水栓１０を使用することによる水分から十分保護されることになるのである。
【００１５】
従って、この請求項１に係る壁埋込型水栓１０は、水栓本体１２及び配管接続具１３を水栓ボックス１１内に収納するため、埋込型水栓としての機能を十分発揮することは当然として、水栓ボックス１１の支持孔１１ａに対する各挿入部２１ａ・２１ｂの支持を液密的に行うようにしたから、水栓ボックス１１内にて漏水があったとしてもこれが壁Ｗ内に侵入することはなく、壁Ｗを十分保護し得るものとなっているのである。
【００１６】
上記課題を解決するために、請求項２に係る発明の採った手段は、上記請求項１の壁埋込型水栓１０について、
「配管２０の、水栓ボックス１１の支持孔１１ａに対する液密的な挿通は、水栓ボックス１１の支持孔１１ａにゴムブッシュ１８を圧入して、このゴムブッシュ１８内に配管２０の挿入部２１ａ・２１ｂを挿通することにより行うようにしたこと」
である。
【００１７】
すなわち、この請求項２の壁埋込型水栓１０は、水栓ボックス１１の各支持孔１１ａに対する各挿入部２１ａ・２１ｂの液密的挿入は、ゴムブッシュ１８を介して行うようにしたものであり、このゴムブッシュ１８は、その弾性力を利用することによって、水栓ボックス１１の各支持孔１１ａに対して、圧入固定されるものである。勿論、このゴムブッシュ１８は、その弾性力によって水に対する十分なシール性をも有しているから、図２に示したように、壁Ｗに対して施工完了した壁埋込型水栓１０について、その水栓ボックス１１から壁Ｗ内へ水が侵入するのが防止されるのである。
【００１８】
従って、この請求項２に係る壁埋込型水栓１０は、上記請求項１のそれと同様な機能を有する他、ゴムブッシュ１８の圧入固定という最も簡単な手段で、水栓ボックス１１の支持孔１１ａに対する配管２０の挿入部２１ａ・２１ｂの挿通を液密的な状態で維持しており、そのように構成することがゴムブッシュ１８を使用した結果、非常に簡単になっているのである。
【００１９】
そして、上記課題を解決するために、請求項３に係る発明の採った手段は、上記請求項１の壁埋込型水栓１０について、
「配管２０の、水栓ボックス１１の支持孔１１ａに対する液密的な挿通は、水栓ボックス１１の支持孔１１ａの内側に、この支持孔１１ａを塞ぐ中当板１９をシール材１９ｂを介して固定するとともに、この中当板１９の挿通孔１９ａに挿通した各配管２０の挿入部２１ａまたは２１ｂを中当板１９に対して固定することにより行うようにしたこと」
である。
【００２０】
すなわち、この請求項３の壁埋込型水栓１０は、まず、水栓ボックス１１それ自体を、例えば合成樹脂等を材料することにより液密的なものとして一体成形することにより、この水栓ボックス１１内に水が漏れてもそのまま壁Ｗ側に逆侵入しないようにしたことを基本構成とするものであるが、内部の各Ｌと外部からの水配管２０ａあるいは湯配管２０ｂとの接続を如何にするかを具体化したものである。
【００２１】
換言すれば、この請求項３の壁埋込型水栓１０では、例えば図１１に示すような水栓ボックス１１を形成しておいて、この水栓ボックス１１自体の水漏れ防止機能を十分発揮させながら、内部の各Ｌと外部からの水配管２０ａあるいは湯配管２０ｂとの接続を液密的に行えるようにしたものである。そのために、この水栓ボックス１１では、カバー１１ｂによって覆われる前面開口と、外部からの水配管２０ａあるいは湯配管２０ｂの各挿入部２１ａ・２１ｂが水栓ボックス１１内に挿入できるようにするための支持孔１１ａ（後述する最良形態では左右に一個づつ、計２個形成してある）とを有したものとしてある。
【００２２】
そして、水栓ボックス１１の各支持孔１１ａの内側に、図１０〜図１２に示すように、各支持孔１１ａを塞ぐ中当板１９をシール材１９ｂを介して固定するとともに、この中当板１９の挿通孔１９ａに挿通した各配管２０の挿入部２１ａまたは２１ｂを中当板１９に対して固定するようにしているのである。
【００２３】
これにより、各配管２０の、水栓ボックス１１の支持孔１１ａに対する液密的な挿通及び固定が行われるのであり、仮に、当該水栓ボックス１１内にて水漏れがあったとしても、漏れ出た水が壁Ｗ側に逆侵入することはなくなるのである。
【００２４】
従って、この請求項３に係る壁埋込型水栓１０も、上記請求項１のそれと同様な機能を有する他、支持孔１１ａを塞ぐ中当板１９をシール材１９ｂを介して固定するとともに、この中当板１９の挿通孔１９ａに挿通した各配管２０の挿入部２１ａまたは２１ｂを中当板１９に対して固定するという簡単な手段で、水栓ボックス１１の支持孔１１ａに対する配管２０の挿入部２１ａ・２１ｂの挿通を液密的な状態で維持しており、そのように構成することも簡単になっているのである。
【発明の効果】
【００２５】
以上、詳述した通り、本発明においては、上記最良形態にて例示した如く、
「壁Ｗ内に埋め込まれる水栓ボックス１１内に水栓本体１２を収納するとともに、この水栓本体１２に対して、壁Ｗ内を通されてくる配管２０を、配管接続具１３を介して接続するようにした壁埋込型水栓１０において、配管２０の挿入部２１ａ・２１ｂを、水栓ボックス１１に設けた支持孔１１ａに液密的に挿通して、その内端を当該水栓ボックス１１内に突出させるとともに、配管接続具１３を配管２０の内端に接続し、この配管接続具１３に水栓本体１２を接続することにより、これらの水栓本体１２と配管接続具１３とを水栓ボックス１１内に収納したこと」
に構成上の主たる特徴があり、これにより、埋込式の水栓の長所を十分生かしながら、さらに壁Ｗ内への水の逆侵入を防止することのできる壁埋込型水栓１０を提供することができるのである。
【発明を実施するための最良の形態】
【００２６】
次に、以上のように構成した各請求項に係る発明を、図面に示した最良の形態である壁埋込型水栓１０について説明するが、この壁埋込型水栓１０は、図１〜図５に示した実施例１と、図６〜図１２に示した実施例２とに分けられる。
【００２７】
（実施例１）
図１には、例えば浴室の壁Ｗに、本発明の実施例１に係る壁埋込型水栓１０を施工したときの正面図が示してある。
【００２８】
この壁埋込型水栓１０は、一種の湯水混合栓であり、後述する水栓ボックス１１の開口部を覆っているカバー１１ｂの上部に、後述する湯水混合部１４にての湯温を設定する温度調節レバー１４ａを露出させ、カバー１１ｂの下部には、図示下方のカラン１６から吐水させるか図示上方のシャワー１７から吐水させるかの選択を行うための切換ハンドル１２ｃが露出させてある。勿論、この切換ハンドル１２ｃは、止水操作を行うものでもある。図２には、カバー１１ｂを外して水栓ボックス１１内の様子をみた拡大正面図であり、水栓ボックス１１の中央下部には水栓本体１２が配置してあり、この水栓本体１２の両側に２つの配管接続具１３がそれぞれ配置してある。両配管接続具１３は、それぞれ水管接続具１３ａと湯管接続具１３ｂであり、これらの水管接続具１３ａと湯管接続具１３ｂには、図示下方からの各配管２０、つまり、水配管２０ａ及び湯配管２０ｂがそれぞれ接続されるものである。
【００２９】
これらの水管接続具１３ａ及び湯管接続具１３ｂは、水配管２０ａからの水及び湯配管２０ｂからの湯を、水栓ボックス１１の図示上部内に配置した湯水混合部１４に、それぞれ両側から接続パイプ２２ａ及び接続パイプ２２ｂを通して供給するようにしたものであり、この湯水混合部１４での湯水の混合割合は、図１に示した温度調節レバー１４ａによって調整されるものである。
【００３０】
なお、本最良形態の壁埋込型水栓１０においては、図２等に示したように水栓ボックス１１内の適宜位置に中仕切板１５が配置してあり、この中仕切板１５に形成した支持孔１５ａに各配管接続具１３の一部を挿通して支持させてある。この支持孔１５ａに対しても、後述するゴムブッシュ１８が圧入固定してあり、このゴムブッシュ１８に各配管接続具１３を支持させるようにしている。
【００３１】
この中仕切板１５は、水栓ボックス１１内にピッタリと納められるものとしてプレス加工したものであり、これを水栓ボックス１１内に収納しておくことにより、水栓ボックス１１の施工時に必要な剛性を、例えば合成樹脂によって形成した当該水栓ボックス１１に付与することができるだけでなく、上述したように、水栓本体１２や各配管接続具１３の位置決め及び支持を容易に行えるようにするものである。
【００３２】
以上の湯水混合部１４によって所定温度に生成された湯水は、図２及び図５に示し
た供給パイプ１４ｂによって、前述した水栓本体１２に送られ、この水栓本体１２の切換ハンドル１２ｃによって、給水を止めるか、あるいはカラン給水配管１２ａを介してカラン１６に給水するか、さらにはシャワー給水配管１２ｂを介してシャワー１７に給水するかが選択されるものとなっている。
【００３３】
そして、この最良形態の壁埋込型水栓１０では、その水栓ボックス１１内に、上述した水栓本体１２、水管接続具１３ａ、湯管接続具１３ｂ及び湯水混合部１４が完全に収納されているのであるが、水配管２０ａ及び湯配管２０ｂの挿入部２１ａ及び２１ｂ、カラン給水配管１２ａ及びシャワー給水配管１２ｂの各挿入部の内側部も水栓ボックス１１内に引き込んである。勿論、これらの挿入部２１ａ・２１ｂ、カラン給水配管１２ａ及びシャワー給水配管１２ｂの各挿入部は水栓ボックス１１に形成してある各支持孔１１ａに対して液密的となるように挿通しかつ支持してある。
本最良形態の壁埋込型水栓１０では、その水栓ボックス１１の各支持孔１１ａには、弾力性及びシール性を有するゴム製のゴムブッシュ１８が圧入嵌合してあって、このゴムブッシュ１８によりその各部分での液密性を確保するようにしているのである。
【００３４】
なお、各水管接続具１３ａ及び湯管接続具１３ｂは、図２及び図５に示したように、その正面略中央部に止水栓部１３ｃをそれぞれ有しているものであり、この止水栓部１３ｃは、図５に示したように、逆流防止弁び役目も果たすものとなっている。
【００３５】
（実施例２）
図６〜図１２には、請求項３に係る発明を具体化した実施例２に係る壁埋込型水栓１０が示してある。この壁埋込型水栓１０は、その基本的構成部材を、上記の実施例１と同様に有しているものであり、共通する部材については、上記実施例１の説明において使用した符号を付して、その説明は省略する。
【００３６】
この実施例２の壁埋込型水栓１０が実施例１のそれと異なる点は、図１１に概略的に示したような水栓ボックス１１を一体成形すること、この水栓ボックス１１の必要箇所（例えば配管２０が挿入されてくる左右両側上部のコーナー部分）にのみ各支持孔１１ａを形成すること、そして、これら各支持孔１１ａの内側に、この支持孔１１ａを塞ぐ中当板１９をシール材１９ｂを介して固定するようにしたことである。
【００３７】
すなわち、この実施例２の壁埋込型水栓１０は、まず、水栓ボックス１１それ自体を、例えば合成樹脂等を材料することにより液密的なものとして一体成形することにより、この水栓ボックス１１内に水が漏れてもそのまま壁Ｗ側に逆侵入しないようにしたものであり、かつ、内部の各Ｌと外部からの水配管２０ａあるいは湯配管２０ｂとの接続を如何にするかを具体化したものなのである。
【００３８】
各中当板１９には、例えば図１１に示したように、挿入孔１９ａがそれぞれ形成してあり、この挿通孔１９ａには、図１０及び図１２に示したように、各配管２０の挿入部２１ａまたは２１ｂを挿通してから、各配管２０を当該中当板１９に対して固定するようにしたものである。
【００３９】
そして、これらの中当板１９を、水栓ボックス１１の各支持孔１１ａの内側でこれを塞ぐように配置しながら、図１０〜図１２に示すように、水栓ボックス１１に対してネジ止め等の手段によってシール材１９ｂを介して固定するとともに、この中当板１９の挿通孔１９ａに挿通した各配管２０の挿入部２１ａまたは２１ｂを中当板１９に対して固定したのである。
【００４０】
本最良形態では、各配管２０の中当板１９に対する固定は、挿入部２１ａ・２１ｂの内側にナット１９ｃを螺着することにより行うようにしているが、このナット１９ｃの螺着は、壁Ｗに取り付けた水栓ボックス１１の全面開口（ここはカバー１１ｂによって覆蓋されることになる）から行えばよいため、部屋の中から行える。
【００４１】
換言すれば、この請求項３の壁埋込型水栓１０では、例えば図１１に示すような水栓ボックス１１を形成しておいて、この水栓ボックス１１自体の水漏れ防止機能を十分発揮させながら、内部の各Ｌと外部からの水配管２０ａあるいは湯配管２０ｂとの接続を液密的に行えるようにしたものである。そのために、この水栓ボックス１１では、上述したように、カバー１１ｂによって覆われる前面開口と、外部からの水配管２０ａあるいは湯配管２０ｂの各挿入部２１ａ・２１ｂが水栓ボックス１１内に挿入できるようにするための２個の支持孔１１ａとを有したものとした。
【図面の簡単な説明】
【００４２】
【図１】本発明の実施例１に係る壁埋込型水栓を施工した壁の室内側面を示す部分正面図である。
【図２】図１に示した壁埋込型水栓のカバーを外した状態を示す拡大正面図である。
【図３】図２中の２−２線に沿ってみた縦断面図である。
【図４】図３中に示した壁埋込型水栓の拡大断面図である。
【図５】図２中の３−３線に沿ってみた壁埋込型水栓の縦断面図である。
【図６】本発明の実施例２に係る壁埋込型水栓を施工した壁の室内側面を示す部分正面図である。
【図７】図６に示した壁埋込型水栓のカバーを外した状態を示す拡大正面図である。
【図８】図７中の４−４線に沿ってみた縦断面図である。
【図９】図７中の５−５線に沿ってみた縦断面図である。
【図１０】図７中の６−６線に沿ってみた壁埋込型水栓の横断面図である。
【図１１】実施例２の壁埋込型水栓において使用している水栓ボックスの斜視図である。
【図１２】図１０の右方部分を拡大して示した部分拡大図である。
【図１３】従来の技術を示す断面図である。
【図１４】従来の別の技術を示す断面図である。
【図１５】従来のさらに別の技術を示す分解斜視図である。
【符号の説明】
【００４３】
１０    壁埋込型水栓
１１    水栓ボックス
１１ａ  支持孔
１１ｂ  カバー
１２    水栓本体
１２ａ  カラン給水配管
１２ｂ  シャワー給水配管
１２ｃ  切換ハンドル
１３    配管接続具
１３ａ  水管接続具
１３ｂ  湯管接続具
１３ｃ  止水栓部
１４    湯水混合部
１４ａ  温度調節レバー
１４ｂ  供給パイプ
１５    中仕切板
１５ａ  支持孔
１６    カラン
１７    シャワー
１８    ゴムブッシュ
１９    中当板
１９ａ  挿入孔
１９ｂ  シール材
１９ｃ  ナット
２０    配管
２０ａ  水配管
２０ｂ  湯管
２１ａ  挿入部
２１ｂ  挿入部
２２ａ  接続パイプ
２２ｂ  接続パイプ
Ｗ    壁
【図１】
2005194822.tif 000003
【図２】
2005194822.tif 000004
【図３】
2005194822.tif 000005
【図４】
2005194822.tif 000006
【図５】
2005194822.tif 000007
【図６】
2005194822.tif 000008
【図７】
2005194822.tif 000009
【図８】
2005194822.tif 000010
【図９】
2005194822.tif 000011
【図１０】
2005194822.tif 000012
【図１１】
2005194822.tif 000013
【図１２】
2005194822.tif 000014
【図１３】
2005194822.tif 000015
【図１４】
2005194822.tif 000016
【図１５】
2005194822.tif 000017